(57)【要約】      （修正有）【課題】ダンボールや厚紙等の紙材で筺体を組み立てるとともに、その一部を接着剤、粘着テープを用いて接合する場合であっても、形状に関わりなく、接着力を維持する紙容器を提供する。【解決手段】天井面部２１、底面部、孔部３０が設けられた主側面部２３、及び、３つの副側面部２４とがそれぞれ紙材にて形成された直方体状の筺体と、その一端４１が主側面部２１に取り付けられるとともに、他端４２が天井面部２１に達し、その中間部４３で孔部３０を覆う閉塞用紙材４０とを設ける。さらに、閉塞用紙材４０の他端４２には、端部４２から一端４１側に向けて複数の切り込み４２ａを形成する。【選択図】図１
0003160130.tif 000002
【実用新案登録請求の範囲】
【請求項１】
天井面部、底面部、孔部が設けられた主側面部、及び、３つの副側面部とがそれぞれ紙材にて形成された直方体状の筺体と、
その一端が上記主側面部に取り付けられるとともに、他端が上記天井面部に達し、その中間部で上記孔部を覆う閉塞用紙材とを有し、
上記閉塞用紙材の他端部には、その端部から上記一端部側に向けて複数の切り込みが形成されていることを特徴とする紙容器。
【請求項２】
上記天井面部は、上記主側面部及び上記３つの副側面部を構成する紙材のうち少なくとも２つの紙材から連続する紙材により形成されていることを特徴とする請求項１に記載の紙容器。
【請求項３】
底面部、及び、４つの側面部とがそれぞれ紙材にて形成された有底角筒状の筺体と、
この筺体の開口部に設けられ、上記４つの側面部を構成する紙材のうち少なくとも１つの紙材から連続する紙材により形成されるとともに、上記開口部から上記筺体の内周側に折り込まれる紙材片とを備え、
上記紙材片の先端部には、その端部から上記側面部側に向けて複数の切り込みが形成されていることを特徴とする紙容器。
【考案の詳細な説明】
【技術分野】
【０００１】
本考案は、書類廃棄用や物品保存用等の紙容器に関し、特に接着剤及び粘着テープの劣化等による剥離を防止できる技術に関する。
【背景技術】
【０００２】
段ボールや厚紙等の紙材を組み立てることで、書類廃棄や物品保存等に用いる各種の紙容器が知られている。このような紙容器は組み立ての際に、接着剤及び粘着テープを用いて接合する部分があった。
【考案の概要】
【考案が解決しようとする課題】
【０００３】
上述した紙容器では、次のような問題があった。すなわち、紙容器の形状によっては、曲面及び段差に貼り付けることがあり、強い接着力で接合できないことがあった。このため、使用中に剥離したり、組み立てる際に手間取る等の問題があった。
【０００４】
そこで本考案は、ダンボールや厚紙等の紙材で筺体を組み立てるとともに、その一部を接着剤や粘着テープを用いて接合する場合であっても、形状に関わりなく、接着力を維持することができる紙容器を提供することを目的としている。
【課題を解決するための手段】
【０００５】
前記課題を解決し目的を達成するために、本考案の紙容器は次のように構成されている。
【０００６】
（１）天井面部、底面部、孔部が設けられた主側面部、及び、３つの副側面部とがそれぞれ紙材にて形成された直方体状の筺体と、その一端が上記主側面部に取り付けられるとともに、他端が上記天井面部に達し、その中間部で上記孔部を覆う閉塞用紙材とを有し、上記閉塞用紙材の他端部には、その端部から上記一端部側に向けて複数の切り込みが形成されていることを特徴とする。
【０００７】
（２）底面部、及び、４つの側面部とがそれぞれ紙材にて形成された有底角筒状の筺体と、この筺体の開口部に設けられ、上記４つの側面部を構成する紙材のうち少なくとも１つの紙材から連続する紙材により形成されるとともに、上記開口部から上記筺体の内周側に折り込まれる紙材片とを備え、上記紙材片の先端部には、その端部から上記側面部側に向けて複数の切り込みが形成されていることを特徴とする。
【考案の効果】
【０００８】
本考案によれば、ダンボールや厚紙等の紙材で筺体を組み立てるとともに、その一部を接着剤及び粘着テープを用いて接合する場合であっても、形状に関わりなく、接着力を維持することが可能となる。
【図面の簡単な説明】
【０００９】
【図１】本考案の第１の実施の形態に係る紙容器を示す斜視図。
【図２】同紙容器の使用方法を示す要部斜視図。
【図３】同紙容器の使用方法を示す要部斜視図。
【図４】本考案の第２の実施の形態に係る紙容器を示す斜視図。
【図５】同紙容器の使用方法を示す要部斜視図。
【図６】同紙容器を図４中Ｙ−Ｙ線で示す位置で切断した断面図。
【考案を実施するための形態】
【００１０】
図１は本考案の第１の実施の形態に係る紙容器１０を示す斜視図、図２，３は紙容器１０の使用方法を示す要部斜視図である。紙容器１０は、後述する孔部３０から廃棄書類等を投入し、満杯になった時点で紙容器１０ごと廃棄するものである。
【００１１】
紙容器１０は、段ボール（紙材）で形成された直方体状の筺体２０を有している。筺体２０は、天井面部２１、底面部２２、主側面部２３、及び、３つの副側面部２４とを有している。
【００１２】
主側面部２３及び３つの副側面部２４には、それぞれ各側面部２３，２４を構成する紙材とは別に、紙材片２３ａ及び紙材片２４ａが設けられており、組み合わせることで天井面部２１が形成されている。このため、天井面部２１はわずかに曲面状や段差となっている。
【００１３】
主側面部２３には孔部３０が設けられている。また、主側面部２３には、その一端４１が接着されるとともに、他端４２が天井面部２１に達し、その中間部４３で孔部３０を覆う閉塞用紙材４０が取り付けられている。閉塞用紙材４０の他端４２には、一端４１側に向けて複数の切り込み４２ａが形成されている。なお、閉塞用紙材４０は三つ折りされている。
【００１４】
このように構成された紙容器１０は、次のようにして用いられる。すなわち、使用状態では、閉塞用紙材４０の一端４１を主側面部２３に接着剤（あるいは粘着テープ）等で貼り付け、他端４２及び中間部４３は接着せず、孔部３０を露出させる。この孔部３０から廃棄書類を投入してゆく。
【００１５】
廃棄書類で満杯になった時点、あるいは、適当な時点で、紙容器１０の使用が終了したら、他端４２及び中間部４３に接着剤を塗布あるいは、粘着テープを貼付し、中間部４３は孔部３０を閉塞するように貼り付けるとともに、他端４２は天井面部２１に接着剤（あるいは粘着テープ）によって貼り付ける。
【００１６】
このとき、他端４２には多数の切り込み４２ａが設けられているため、天井面部２１が段差となっていても、その形状に倣って接着することができ、強固な接着が可能となる。したがって、運搬中等に閉塞用紙材４０が剥がれることがなく、廃棄書類が紙容器１０から落ちたりすることがない。
【００１７】
このように、本実施の形態に係る紙容器１０においては、段ボールや厚紙等の紙材で筺体２０を組み立てるとともに、その一部を接着剤を用いて接合する場合において、天井面部２１が段差となっていても、閉塞用紙材４０を強固に天井面部２１に接着することができ、接着力を維持することができる。したがって、廃棄書類等の内容物が紙容器１０から落ちることがない。
【００１８】
また、接着テープを用いた場合においては、剥離紙Ｈにも切り込みＨａを入れることにより、剥離紙Ｈを他端４２から剥がしやすく、閉塞用紙材４０による閉塞時の取り扱いが容易となる。
【００１９】
図４は本考案の第２の実施の形態に係る紙容器５０を示す斜視図、図５は紙容器２０の使用方法を示す要部斜視図、図６は紙容器５０を図４中Ｙ−Ｙ線で示す位置で切断した断面図である。
【００２０】
紙容器５０は、段ボール（紙材）で形成された有底角筒状の筺体６０を有している。筺体６０は、底面部６１、及び、４つの側面部６２とを有している。なお、底面部６１の対向面は開口部６３となっており、引き出し部７０が出し入れ自由に組み合わせられている。
【００２１】
筺体６０の４つの側面部６２には、それぞれ各側面部６２を構成する紙材とは別に、紙材片６４が設けられており、それぞれ開口部６３から筺体６０の内周面６０Ａ側に折り込まれている。紙材片６４の先端部６５には、その先端部６５から側面部６２側に向けて複数の切り込み６５ａが形成されている。
【００２２】
このように構成された紙容器５０は、次のような作用効果がある。すなわち、筺体６０は、底面部６１、及び、４つの側面部６２を組み立てた後、先端部６５に接着剤（あるいは粘着テープ）を施し、筺体６０の内周面６０Ａ側に折り込んで、各側面部６２に貼り付ける。この状態で、引き出し部７０を筺体６０に挿入し、紙容器５０が完成する。
【００２３】
紙容器５０は、段ボールにより形成されているため、外力が加わると僅かに湾曲し、先端部６５と側面部６２との間に剥離力がかかり、経年使用により剥がれることがある。
【００２４】
一方、先端部６５には切り込み６５ａが形成されているため、図６に示すように、一部Ｑが剥がれた場合であっても、他の部分Ｐの接着が維持されていることがある。このため、先端部６５の全体が一度に剥がれることがなく、経年使用していても先端部６５が側面部６２から剥がれず、紙容器５０としての機能を維持することができる。
【００２５】
このように、本実施の形態に係る紙容器５０においては、段ボールや厚紙等の紙材で筺体６０を組み立てるとともに、その一部を接着剤又は粘着テープを用いて接合する場合において、筺体６０自体の変形や接着剤の経年劣化によって、接着箇所の一部が剥がれた場合であっても、先端部６５の全体が一度に剥がれることがなく、紙容器５０としての機能を維持することができる。
【００２６】
また、接着テープを用いた場合においては、剥離紙Ｈにも切り込みＨａを入れることにより、剥離紙Ｈを先端部６５から剥がしやすく、組み立て時の取り扱いが容易となる。
【００２７】
なお、本考案は前記実施の形態に限定されるものではなく、この他、本考案の要旨を逸脱しない範囲で種々変形実施可能であるのは勿論である。
【産業上の利用可能性】
【００２８】
ダンボールや厚紙等の紙材で筺体を組み立てるとともに、その一部を接着剤又は粘着テープを用いて接合する場合であっても、形状に関わりなく、接着力を維持することができる紙容器を提供することができる。
【符号の説明】
【００２９】
１０…紙容器、２０…筺体、２１…天井面部、２２…底面部、２３…主側面部、２４…副側面部、２３ａ，２４ａ…紙材片、３０…孔部、４０…閉塞用紙材、４２ａ…切り込み、５０…紙容器、６０…筺体、６１…底面部、６２…側面部、６５…先端部、６５ａ…切り込み、７０…引き出し部。
【図１】
0003160130.tif 000003
【図２】
0003160130.tif 000004
【図３】
0003160130.tif 000005
【図４】
0003160130.tif 000006
【図５】
0003160130.tif 000007
【図６】
0003160130.tif 000008